(57)【要約】【課題】薬液パックを、ノズルユニットに簡単に連結できると共に、簡単にケース内に取り付けることができる薬液噴出器を提供する。【解決手段】ケース３内に薬液パック５を交換自在に収納し、ポンプ式のノズルユニット４から薬液を噴出する薬液噴出器である。ノズルユニット５は連結部４５を介して薬液パック５の下端部に着脱自在に連結される。ケース３は、ケース本体１０と、該ケース本体の前面を開閉自在に覆う前カバー１１とを備えている。ケース本体１０内には、薬液パック用の載置壁３１及び前支持壁３２を有する薬液パック収納部３０と、薬液パック収納部３０よりも下方位置に配置されノズルユニット４が前方から取り付け可能なノズル取付部７とを備えている。前支持壁３２は前方から薬液パック５が通過可能な第１の開口３４を有し、載置壁３１は連結部４５が前方から通過可能な第２の開口３５を有している。【選択図】図２
2008296923.tif 000002
【特許請求の範囲】
【請求項１】
ケース内に薬液パックを交換自在に収納し、該薬液パックに連結されたポンプ式のノズルユニットから、薬液パック内の薬液を噴出する、薬液噴出器において、
ノズルユニットは連結部を介して薬液パックの下端部に着脱自在に連結され、
ケースは、薬液パックが収納されるケース本体と、該ケース本体の前面を開閉自在に覆うと共に前記ノズルユニットが前方に突出する前カバーと、を備え、
ケース本体内には、薬液パックを載置する載置壁及び薬液パックを前方から支持する前支持壁を有する薬液パック収納部と、該薬液パック収納部よりも下方位置に配置されてノズルユニットが前方から取り付け可能なノズル取付部と、を備え、
薬液パック収納部の前支持壁は、前方から薬液パックが通過可能な第１の開口を有し、
薬液パック収納部の載置壁は、連結部が前方から通過可能な第２の開口を有し、
連結部を介して連結された薬液パックとノズルユニットとが、薬液パック収納部及びノズル取付部に、前方から第１及び第２の開口を通して取り付けられるようになっていることを特徴とする薬液噴出器。
【請求項２】
請求項１記載の薬液噴出器において、
ノズル取付部は、上部に連結部が前方から通過可能な第３の開口を有する部分円筒形の取付部本体と、ノズルユニットの後部に形成された位置決め孔が前方から嵌合可能な位置決め突起と、を備えている薬液噴出器。
【請求項３】
請求項２記載の薬液噴出器において、
ノズル取付部の取付部本体の外周面に、ノズルユニット抜け止め用のロック用突起を設け、
ノズルユニットには、該ノズルユニットの軸芯回りに回動可能で前記係止突起に係合可能な回動体が設けられている薬液噴出器。
【発明の詳細な説明】
【技術分野】
【０００１】
本発明は、ケース内に薬液パックを交換自在に収納し、該薬液パックに連結されたポンプ式のノズルユニットから、薬液パック内の薬液を噴出する薬液噴出器に関する。
【背景技術】
【０００２】
この種の薬液噴出器は、主として手洗い場等に於ける液状石けん供給器又は消毒液供給器等として用いられており、維持管理において、薬液パックが空になると、使用済みの薬液パックを取り出し、新しい薬液パックが収納される。
【０００３】
図１４は、従来の壁掛け式の流動体取り出し装置を示しており（特許文献１）、該装置は、筒型の容器本体１０１と、該容器本体１０１の下端部に固着された台部１０２と、該台部１０２から前方に突出すると共に前端部にノズル部１０４を有するポンプ手段１０３と、該ポンプ手段１０３に連通すると共に台部１０２から上方に突出する吸い込み管１０６と、容器本体１０１に上端に着脱自在に配置された蓋体１０８等とから構成されている。容器本体１０１は、図示しないが吸盤等により壁面に固着され、前記吸い込み管１０６の上端部は斜めにカットされた尖端部１０６ａとなっている。薬液パック１０７は、蓋体１０８を外した容器本体１０１内に上方から挿入され、下方へ押し込まれることにより、吸い込み管１０６の尖端部１０６ａが薬液パック１０７の下面に突き刺さり、穿孔された後、台部１０２の上壁に載置される。
【０００４】
別の従来例として、特許文献２に記載されているような折り畳み式石けんディスペンサーがあり、下端に接続部を備えた折り畳み式の薬液パックを、台部に固定されたノズルユニットに上方から着脱自在に接続するように構成されている。
【特許文献１】特許３５５８３８７号
【特許文献２】特許３７３９７９３号
【発明の開示】
【発明が解決しようとする課題】
【０００５】
図１４に示す特許文献１の流動体取り出し装置では、ノズル部１０４を有するポンプ手段１０３は、台部１０２に取り外し不能に固定されているので、ポンプ手段１０３が詰まった時には、台部１０２と共にポンプ手段１０３を交換する必要があり、不経済である。また、薬液パック１０７を交換する際には、薬液パック１０７を上方から狭い容器内に挿入し、しかも、強く押し下げて穿孔する必要があるので、薬液パック１０７の交換作業に手間がかかると共に、薬液パック１０７を強く押し過ぎて、台部１０２を壁から脱落させるおそれがある。さらに、吸い込み管１０６で突き刺した孔から薬液が漏れるおそれもある。
【０００６】
特許文献２の従来例でも、台部にノズルユニットが取り外し不能に固定されており、ノズルユニットが詰まった時には台部と共に薬液パックを交換する必要があり、不経済である。
【０００７】
本発明は、上記課題に鑑みて為されたものであり、薬液パック及びノズルユニットを、前方から簡単にケース内に装着できる薬液噴出器を提供することを目的としている。
【課題を解決するための手段】
【０００８】
上記課題を解決するため、請求項１記載の発明は、ケース内に薬液パックを交換自在に収納し、該薬液パックに連結されたポンプ式のノズルユニットから、薬液パック内の薬液を噴出する、薬液噴出器において、ノズルユニットは連結部を介して薬液パックの下端部に着脱自在に連結され、ケースは、薬液パックが収納されるケース本体と、該ケース本体の前面を開閉自在に覆うと共に前記ノズルユニットが前方に突出する前カバーと、を備え、ケース本体内には、薬液パックを載置する載置壁及び薬液パックを前方から支持する前支持壁を有する薬液パック収納部と、該薬液パック収納部よりも下方位置に配置されてノズルユニットが前方から取り付け可能なノズル取付部と、を備え、薬液パック収納部の前支持壁は、前方から薬液パックが通過可能な第１の開口を有し、薬液パック収納部の載置壁は、連結部が前方から通過可能な第２の開口を有し、連結部を介して連結された薬液パックとノズルユニットとが、薬液パック収納部及びノズル取付部に、前方から第１及び第２の開口を通して取り付けられるようになっている。
【０００９】
上記構成において、薬液パックの交換に際には、前カバーを開き、使用済みの薬液パックをノズルユニットと共にケース本体から取り出し、ケース外において、新しい薬液パックを、連結部を介してノズルユニットノズルに連結する。その後、薬液パック、連結部及びノズルユニットの一体物を、ケース本体の前方から、第１及び第２の開口を通過させ、薬液パックを薬液パック収納部内に収納すると同時に、ノズルユニットをノズル取付部に取り付ける。すなわち、薬液パックとノズルユニットとを、ケース外で、薬液を漏らすことなく簡単に連結できると共に、連結した薬液パックとノズルユニットとを、ケース本体内に前方から簡単に装着することができ、薬液パックの交換作業が、簡単かつ確実に行える。
【００１０】
また、ノズルユニットがケース及び薬液パックに対して着脱自在であるので、ノズルユニットを容易に洗浄でき、ノズルユニットの詰まりによって生じるトラブルを回避することができる。
【００１１】
請求項２記載の発明は、請求項１記載の薬液噴出器において、ノズル取付部は、上部に連結部が前方から通過可能な第３の開口を有する部分円筒形の取付部本体と、ノズルユニットの後部に形成された位置決め孔が前方から嵌合可能な位置決め突起と、を備えている。
【００１２】
上記構成によると、部分円筒形のノズル取付部に対し、ノズルを前方から、所定位置に簡単且つ確実に位置決めし、固定することができる。また、部品点数が少なく、簡単な構成であるため、安価である。
【００１３】
請求項３記載の発明は、請求項２記載の薬液噴出器において、ノズル取付部の取付部本体の外周面に、ノズルユニット抜け止め用のロック用突起を設け、ノズルユニットには、該ノズルユニットの軸芯回りに回動可能で前記係止突起に係合可能な回動体が設けられている。
【００１４】
上記構成によると、簡単な操作により、ノズルユニットがノズル取付部から前方に抜け出すのを確実に防止することができる。
【発明を実施するための最良の形態】
【００１５】
以下、本発明による薬液噴出器の一実施の形態を、図１〜図１３に基づいて説明する。図１は本発明による薬液噴出器を前右上方から見た斜視図、図２は薬液噴出器のケース３を開いた状態で示す図１と同様の斜視図である。図２において、薬液噴出器２は、ケース３と、ポンプ式のノズルユニット４と、薬液パック５と、から主構成されている。ケース３は、部屋の壁面等に略垂直姿勢で取り付けられる前面開口状のケース本体１０と、該ケース本体１０と分離可能で、ケース本体１０の前面に開閉自在に取り付けられる前カバー１１と、を備えており、ケース本体１０内には、薬液パック収納部３０が設けられると共に、該薬液パック収納部３０の下方位置にノズル取付部７が設けられている。図１に示すように、前カバー１１の下端部には、ケース３内のノズルユニット４を前方に突出させる開口１６が形成されている。
【００１６】
（ケースの開閉構造）
図３は前カバー１１を前右上方から見た斜視図、図４はケース本体１０を前右上方から見た斜視図、図５はケース本体１０の正面図、図６は図５のVI-VI断面図である。図３において、前カバー１１の下端部の左右の内側面には、後方に延びる一対の連結板１５が設けられており、該連結板１５は、連結板長さ方向に長い長孔１７を有すると共に、左右方向に撓み可能な樹脂により形成されている。また、前カバー１１の上端面には、ロック片２０が設けられている。一方、図４において、ケース本体１０の左右の内側面には、前カバー連結用の一対の連結ピン１８が形成されており、ケース本体１０の上端面には前カバーロック用突起２１が形成されている。
【００１７】
図２において、ケース本体１０に形成された連結ピン１８は、前カバー１１の連結板１５の長孔１７に摺動自在に係合しており、これにより、前カバー１１をケース本体１０に対して脱落不能に連結すると共に、前カバー１１を前下方に開いた時、連結板１５によって前カバー１１を、略水平姿勢に保持できるようになっている。
【００１８】
また、図２のように前カバー１１を開いた状態から、図１のように前カバー１１を閉じた時には、前カバー１１のロック片２０が、該ロック片２０の弾性を利用してケース本体１０のロック用突起２１に係合し、これにより、前カバー１１を閉状態にロックできるようになっている。
【００１９】
（薬液パック５及びポンプ式ノズルユニット４の構成）
図７はノズルユニット４の縦断側面図、図８は図７のVIII-VIII断面図、図９は薬液パック５の正面図、図１０は薬液パック５の底面図である。図９において、薬液パック５は、柔軟性を有する袋本体６０と、該袋本体６０の下端部に設けられた筒形のアダプタ６１とから構成されており、アダプタ６１の外周面にはおねじ部６１ａが形成されている。図１０において、袋本体６０は前後の扁平面６０ａを有する扁平状に形成されており、図２のように薬液パック収納部３０に収納する時には、扁平面６０ａが前後に向く姿勢で収納される。
【００２０】
図７において、ポンプ式のノズルユニット４は、薬液通路４１ａを有する垂直断面円形のユニット本体部４１と、該ユニット本体部４１の前端小径部４７の前端部に螺着されたポンプ部４２と、該ポンプ部４２から前方に突出するプランジャ４３の前端に設けられたノズル部４４と、ユニット本体部４１の上端部に上方突出状に設けられると共にユニット本体部４１内の薬液通路４１ａに連通する薬液通路４５ａを有する連結部４５と、から主構成されている。連結部４５の内面にはめねじ部４５ｂが形成されており、該連結部４５には、薬液パック５の下端アダプタ６１が螺着され、これにより、連結部４５を介して、袋状本体６０内とノズルユニット４の薬液通路４５ａ及び４１ａとが連通するようになっている。すなわち、薬液パック５内に薬液は、連結部４５内の薬液通路４５ａを通してユニット本体部４１内の薬液通路４１ａに取り入れられ、ポンプ部４２のプランジャ４３を後方に押し込むことにより、ノズル部４４から薬液を下方に噴出するようになっている。
【００２１】
ユニット本体部４１の後端部には、該ユニット本体部４１と同一軸芯の位置決め孔４９を有する位置決め嵌入部４８がユニット本体部４１と一体に形成されている。
【００２２】
さらにユニット本体部４１の前端小径部４７の外周面には、ノズルユニット４を脱落不能にロックするためのフランジ（回動体）５０が回動自在に嵌合している。フランジ５０の外周面には、フランジ５０を回動するための取手５１が形成され、フランジ５０内には、フランジ５０の周方向に円弧状に延びる係合孔５２が一対形成されている。図８において、前記一対の係合孔５２の円周方向の一端部の後面には、ノズル取付部７のロック用突起７５が後方から挿入可能な開口５３が形成されている。すなわち、取付部本体７１のロック用突起７５は、フランジ５０のロック孔５２内に開口５３を介して挿入することができ、挿入後、フランジ５０を所定角度回動することにより、ロック用突起７５がロック用孔５２内を周方向に相対的に移動し、図７において、フランジ５０の後壁５０ａに係合ロック用突起７５が係合することにより、ノズルユニット４を取付部本体７１に対して脱落不能にロックできるようになっている。
【００２３】
（ケース本体１０内の構成）
図４において、ケース本体１０内に設けられる薬液パック収納部３０は、ケース本体１０の後壁１０ａから前方へ略水平に突出する載置壁３１と、該載置壁３１の前端部から略垂直に立ち上がる前支持壁３２と、載置壁３１の左右両端から立ち上がる左右側壁３３と、から構成されている。前支持壁３２の左右幅の中央部には第１の開口３４が形成され、載置壁３１の左右幅の中央部には第２の開口３５が形成されている。前記第１の開口３４の左右幅は、図９の薬液パック５の袋本体６０の扁平面６０ａを左右に向けた状態で、薬液パック５を通過させることができる大きさとなっており、図４の第２の開口３５の左右幅は、図７のノズルユニット４の連結部４５を前方から通過させることができる大きさとなっている。該実施の形態では、図４の第１の開口３４の左右幅と第の開口３５の左右幅は略同じ大きさに設定され、かつ、平面視で略同一位置に形成されている。
【００２４】
図４において、ノズル取付部７は、上部に第３の開口７３を有する部分円筒形の取付部本体７１と、該取付部本体７１内に、取付部本体７１と同一軸芯に配置された位置決めピン７２とから構成されている。取付部本体７１及び位置決めピン７２は、いずれもケース本体１０の左右幅の中央部に配置されると共に、ケース本体１０の後壁１０ａから前方に略水平に突出している。取付部本体７１の内径は、図７のノズルユニット４のユニット本体部４１の外径に略対応する寸法となっており、取付部本体７１内に前方からユニット本体部４１が差し込めるようになっている。
【００２５】
また、図４の位置決めピン７２の外径は、図７のノズルユニット４の位置決め孔４９の内径に略対応する寸法となっており、ノズルユニット４の位置決め孔４５を前方から嵌合できるようになっている。
【００２６】
図４に戻り、取付部本体７１の前端の外周面には、前述の一対のロック用突起７５が形成されており、両ロック用突起７５は、取付部本体７１の左右両端に配置されている。
【００２７】
第３の開口７３は、薬液パック収納部３０の第１及び第２の開口３４、３５と、平面視で略同一位置に形成されており、また、第１の開口３４と、第２の開口３５と、第３の開口７３の各左右幅に中心線は、略同一垂直面上内に位置している。
【００２８】
（作用）
図１１は、ケース３の開閉要領を示す作用説明図、図１２は、薬液パック５とノズルユニット４とを、ケース３内に装着する作業を示す作用説明図、図１３は、ノズルユニット４をノズル取付部７に前方から取り付ける作業を示す作用説明図であり、これらの図面に基づいて薬液パック５の交換作業を順次説明する。
【００２９】
（１）図１１（ａ）において、前カバー１１のロック片２１を上方に撓ませることにより、ロック片２１をケース本体１０のロック用突起２０から外す。
【００３０】
（２）ロック片２１によるロックを解除後、図１１（ｂ）において、前カバー１１を前方に引くことにより、ケース本体１０を開く。
【００３１】
（３）続いて、図１１（ｃ）に示すように、連結ピン１８を回動支点として、前カバー１１を水平状態まで前方に開く。これにより、ケース本体１０の前面を開放状態とする。そして、空の薬液パック５とノズルユニット４とを、ケース本体１０内から第１，第２及び第３の開口３４、３５、７３等を通して前方に取り出す。すなわち、空の薬液パック５は第１の開口３４を通して前方に取り出し、連結部４５は第２及び第３の開口３５、７３を通して前方に取り出す。また、ノズルユニット４は、フランジ５０を回動して、ノズルユニット４のロックを解除した後、ノズル取付部７から前方に引き出す。
【００３２】
（４）次に、図１２（ａ）において、新しい薬液パック５の下端アダプタ６１を、ノズルユニット４の連結部４５に螺着し、薬液パック５を薬液パック収納部３０の第１の開口３４の前方に位置させると共に、ノズルユニット４をノズル取付部７の前方に位置させる。
【００３３】
（５）図１２（ｂ）において、薬液パック５を、袋本体６０の扁平面６０ａが概ね左右に向くように９０°程度捩る。
【００３４】
（６）図１２（ｃ）において、薬液パック５は、第１の開口３４を通過させて、薬液パック収納部３０へ収納し、同時に、連結部４５は、第２の開口３５及び第３の開口７３を通過させてケース本体１０内に収納し、さらにノズルユニット４は、ノズル取付部７内に前方から差し込む。
【００３５】
（７）図１２（ｄ）において、薬液パック収納部３０内に収納された薬液パック５は、袋本体６０の扁平面６０ａが前後に向くように捩り戻し、載置壁３１上に載置する。これにより、薬液パック５は、下面が載置壁３１に支持され、前面が前支持壁３２に支持され、左右側面が側壁３３により支持される。
【００３６】
（８）次に、図１３により、ノズルユニット４の取付作業を詳しく説明する。図１３（ａ）において、ノズルユニット４は、前述のようにノズル取付部７の取付部本体７１の前方に配置され、薬液パック５と共に後方に移動され、図１３（ｂ）のように、ユニット本体部４１が取付部本体７１内に前方から挿入される。この時、連結部４５は上述のように第３の開口７３を通過する。
【００３７】
（９）さらにノズルユニット４を後方に押し込むことにより、図１３（ｃ）に示すように、位置決め嵌入部４８内に、ノズル取付部７の位置決めピン７２が嵌入される。位置決めピン７２が完全に嵌入されると、図７に仮想線で示すように、取付部本体７１のロック用突起７５は、フランジ５０のロック孔５２内に開口５３を介して入り込んでおり、この状態で、取手５１を持ってフランジ５０を所定角度回動することにより、ロック用突起７５がフランジ５０の後壁５０ａに係合し、ノズルユニット４をノズル取付部７に対して脱落不能にロックする。
【００３８】
（実施の形態の効果）
（１）薬液パック５とノズルユニット４とを、ケース３外で連結し、薬液パック５とノズルユニット４を連結させた状態で、ケース３内に収納し、載置又は固定することができるので、薬液パック５を確実にノズルユニット４に連結できると共に、容易に交換できる。
【００３９】
（２）ノズルユニット４は、ケース３及び薬液パック５のいずれに対しても着脱自在であるので、ノズルユニット４を容易に洗浄でき、ノズルユニット４の詰まりによって生じるトラブルを防ぐことができる。
【００４０】
（３）前カバー１１をケース本体１０に連結板１５及び連結ピン１５を介して開閉自在に連結しているので、薬液パック５の交換時、前カバー１１を一時的に置く場所を確保する必要がなく、狭い場所でも迅速に薬液パック５を交換できる。
【００４１】
（４）薬液パック５とノズルユニット４とを、ケース３外で連結部４５及びアダプタ６１により連結するので、薬液パック５の交換時、図１４の従来例のように、薬液パックを突き破ってノズルユニットに連通する構造に比べて、薬液漏れが生じるおそれがない。
【００４２】
（５）液漏れ防止のために逆止弁等を用いる必要がなく、部品点数が少ない簡単な連結構造とすることができる。
【００４３】
（６）前カバー１１とケース本体１０とを、連結板１５及び連結ピン１８により連結しているので、薬液パック５の交換時、前カバー１１の落下を防止でき、前カバー１１を傷付けたり、破損するおそれがない。
【００４４】
（７）薬液パック５の下端に設けたアダプタ６１を、下方のノズルユニット４の連結部４５に連結するので、薬液パック５内の薬液を、無駄なく最後まで使用することができる。
【００４５】
（８）壁掛け式の薬液噴出装置において、ノズルユニット４は、プランジャ４３を後方に押すことにより薬液を噴出させる構造となっているので、薬液噴出時に、ケース３に対して下向きの力がかかることはなく、力の掛け過ぎによりケース本体１０が落下するトラブルを防止できる。
【００４６】
（９）ノズルユニット４に設けたフランジ５０の回動により、ノズルユニット４を脱落不能にロックすることができるので、簡単に、かつ安定した状態に、ノズルユニット４を固定することができる。
【００４７】
（１０）部分円筒形の取付部本体７１と、これと同一軸芯の位置決めピン７２を利用して、ノズルユニット４をノズル取付部７に取り付けるので、簡単、かつ、正確に所定位置に取り付けることができる。
【００４８】
［発明の他の実施の形態］
（１）ノズルユニットとして、泡を噴出する構造のものを採用することも可能である。
【００４９】
（２）ノズルユニット４のロック構造として、図７及び図８のような開口５３及びロック孔５２を有するフランジ５０と、ノズル取付部７のロック用突起７５を備える代わりに、フランジ５０にめねじ部を形成し、ノズル取付部７におねじ部を形成し、フランジ５０をノズル取付部７に螺着する構造とすることもできる。
【００５０】
（３）フランジの代わりに径方向のロックピンを用い、ノズル取付部に形成した径方向のピン挿入孔に前記ロックピンを挿入することにより、ノズルユニットを脱落不能に固定する構造とすることもできる。
【００５１】
（４）ノズル取付部７の位置決めピン７２を、前方に向かって小径となるテーパー状に形成することも可能である。この場合、位置決めピン７２の全長をテーパー形状にする構造と、位置決めピン７２の前端部のみをテーパー形状とする構造のいずれをも適用することもできる。このように、位置決めピン７２にテーパーを持たせることにより、ノズルユニット４をノズル取付部７に取り付ける際、ノズルユニット４とノズル取付部７との軸芯が多少ずれていても、位置決め嵌入部４８の位置決め孔４９に、位置決めピン７２を容易に導入することができる。すなわち、ノズルユニット４をケース本体１０の所定位置に、容易に取り付けることができる。
【００５２】
（５）薬液パック５の袋本体６０として、軟らかい材質のブロー容器、又は、多層ブロー容器を用いることができる。上記のようなブロー容器を用いることにより、薬液パック内の薬液が減少すると、薬液パックが自動的に縮むため、容積を小さくなり、ゴミとして排出される容量を減らすことができる。また、薬液パック５は、図１０に示すように平面視で唇形状となっている構造だけでなく、たとえば平面視で長方形状となっている薬液パック５を用いることもでき、この場合は、平面視で長辺が前後に向く状態で薬液パック収納部３０に収納されるが、第１の第１の開口３４を通して薬液パック収納部３０に挿入する場合には、短辺が前後に向くように略９０°程捩った状態とする。
【産業上の利用可能性】
【００５３】
本発明の薬液噴出器は、簡単かつ確実に薬液パックを交換できるため、前述のように液状石けん又は消毒液の噴出薬液噴出器の他に、ミネラル水等の飲料物の噴出器としても利用可能であり、産業上の利用可能性が大である。
【図面の簡単な説明】
【００５４】
【図１】本発明による薬液噴出器の一実施の形態であり、前右上方から見た斜視図である。
【図２】図１の薬液噴出器を開いた状態で前右上方から見た斜視図である。
【図３】図１の薬液噴出器の前カバーを前右上方から見た斜視図である。
【図４】図１の薬液噴出器のケース本体を前右上方から見た斜視図である。
【図５】図１の薬液噴出器のケース本体の正面図である。
【図６】図５のVI-VI断面図である。
【図７】図１の薬液噴出器のノズルユニットの縦断側面図である。
【図８】図７のVIII-VIII断面図である。
【図９】薬液パックの正面図である。
【図１０】図９の薬液パックの底面図である。
【図１１】図１の薬液噴出器のケースの開閉要領を示す作用説明図である。
【図１２】薬液パックとノズルユニットとをケース内に装着する作業を示す作用説明図である。
【図１３】ノズルユニットをノズル取付部に固定する作業を示す作用説明図である。
【図１４】従来例の分解斜視図である。
【符号の説明】
【００５５】
２  薬液噴出器
３  ケース
４  ノズルユニット
５  薬液パック
１０  ケース本体
１１  前カバー
３０  薬液パック収納部
３１  載置壁
３２  前支持壁
３４  第１の開口
３５  第２の開口
４１  ユニット本体部
４４  ノズル部
４５  連結部
４８  位置決め嵌入部
４９  位置決め孔
５０  フランジ（ロック用の回動体）
７０  ノズル取付部
７１  取付部本体
７２  位置決めピン
７５  ロック用突起
【図１】
2008296923.tif 000003
【図２】
2008296923.tif 000004
【図３】
2008296923.tif 000005
【図４】
2008296923.tif 000006
【図５】
2008296923.tif 000007
【図６】
2008296923.tif 000008
【図７】
2008296923.tif 000009
【図８】
2008296923.tif 000010
【図９】
2008296923.tif 000011
【図１０】
2008296923.tif 000012
【図１１】
2008296923.tif 000013
【図１２】
2008296923.tif 000014
【図１３】
2008296923.tif 000015
【図１４】
2008296923.tif 000016